(57)【要約】【課題】給油状態や油の落下位置ずれの有無を遠隔で確認することができる。【解決手段】自動給油機９から配管１０、分配器１１、給油ノズル１２、給油ノズル先端１３を介して潤滑油２０は駆動チェーン７に吐出され、注油された潤滑油２０の一部は下方に落下する。落下した潤滑油２０は、投光部２１ａからの光ビームを遮光するため、受光部２１ｂでは光ビームを受光できず、受光部２１ｂからの遮光信号は、表示板２２に送信され、駆動チェーン７に相当する「第１チェーン」の表示灯２３は消灯する。一方、油が光学センサ２１を通過していない場合、投光部２１ａからの光ビームは受光部２１ｂに到達し、受光部２１ｂからの受光の信号は、表示板２２に送信され、「第１チェーン」の表示灯が点灯する。表示灯２３の点滅状態を観察し、略周期的に点滅すれば、注油の位置ずれはなく、また正常に注油されていると判断する。【選択図】図１
2005239365.tif 000002
【特許請求の範囲】
【請求項１】
油タンクから配管を介して供給される油を被給油体に吐出する給油ノズルと、
前記給油ノズルから供給され前記被給油体を経て落下する油を検出するセンサと、
前記センサにより検出された油の落下状態を表示する表示部と、
を有することを特徴とする給油確認装置。
【請求項２】
請求項１に記載の給油確認装置において、
前記センサは、前記油の落下により遮断するように配置された一対の光学センサであり、前記光学センサは、落下する油を挟むように対峙して設けられた投光部と受光部とからなることを特徴とする給油確認装置。
【請求項３】
請求項１に記載の給油確認装置において、
前記センサは、前記油の落下位置に設けられ一端が回動可能に軸支されたトレイと、
前記トレイを挟むように対峙して設けられた一対の光学センサと、を有し、
前記光学センサは、投光部と受光部とからなることを特徴とする給油確認装置。
【請求項４】
請求項３に記載の給油確認装置において、
前記トレイは、その他端の開放端部が互いに対向するように配置された少なくとも１組のトレイであることを特徴とする給油確認装置。
【請求項５】
請求項３または請求項４に記載の給油確認装置において、
さらに、前記トレイの他端の開放端部は、弾性体により支持されていることを特徴とする給油確認装置。
【請求項６】
請求項１から請求項５のいずれか１項に記載の給油確認装置において、
前記被給油体は、エスカレータの踏段および／または移動手摺を駆動させるためのチェーンであることを特徴とする給油確認装置。
【発明の詳細な説明】
【技術分野】
【０００１】
本発明は、被供給体に対して給油を遠隔で確認可能な給油確認装置に関する。
【背景技術】
【０００２】
一般的に、図４に示すように、エスカレータ１の踏段２は、案内レール３により移動され、案内レール３は踏段チェーン４によって駆動されている。この踏段チェーン４は、駆動ギア５と従動ギア６との間に渡し掛けられており、駆動ギア５は、駆動チェーン７を介して駆動機構８によって駆動されている。したがって、駆動機構８を駆動することにより駆動ギア５が回転し、従動ギア６とともに踏段チェーン４を駆動させ、踏段２を移動させている。また、エスカレータ１には、踏段チェーン４および駆動チェーン７へ潤滑油等の油を給油するための給油ノズル先端１３ａ，１３ｂ，１３ｃが設けられている。
【０００３】
図５には、駆動チェーン７に潤滑油を給油する自動給油機９が示されている。この自動給油機９は、潤滑油を配管１０、分配器１１、給油ノズル１２を経由させて、給油ノズル先端１３に送油するものであり、給油ノズル先端１３から駆動チェーン７に注油される。また、給油ノズル１２は、固定手段１４により固定され、これにより、駆動チェーン７に対して正規な給油位置に給油ノズル先端１３を案内することができる。さらに、自動給油機９には、操作盤１５が設けられ、操作盤１５では、送油するインターバルと送油時間、および送油を連続または滴下とするかの注油状態の選択、送油量などを操作することができる。さらに、自動給油機９には、テストスイッチ１６が設けられ、テストスイッチ１６を押すことによって、選択された注油状態で設定の送油量を送出させることができる。
【０００４】
図６に示すように、特許文献１には、給油案内装置１７が設けられた乗客コンベアが提案されており、この給油案内装置１７は、給油ノズル１２の給油ノズル先端１３が、駆動チェーン７に対して正規な給油位置に配置されるように、給油ノズル１２を保持している。
【０００５】
また、特許文献２には、図７に示すように、エスカレータのフレームにボルトとナットで取り付けられた平板１９ａとこれに対向する他の平板１９ｂとの間に緩衝材１８ａ，１８ｂを設け、この緩衝材１８ａ，１８ｂの間に給油ノズル１２を配置し、給油ノズル１２の固定を安定させ、給油ノズル先端１３から正確な給油を行う装置が提案されている。
【０００６】
【特許文献１】特開２０００−９５４７２号公報
【特許文献２】特開平９−２４９９５号公報
【発明の開示】
【発明が解決しようとする課題】
【０００７】
しかしながら、上記特許文献１，２のいずれも、給油ノズル先端を正規な給油位置に案内または保持するものではあるが、振動等により、万が一、給油ノズルの固定または保持に位置ずれが生じた場合、給油位置のずれの有無を確認するために、エスカレータの運転を停止させ、踏段を取り外し、例えば自動給油機９のスイッチボタン１５（図５）をオンさせて、各チェーンへの給油位置を目視で確認しなければならなかった。
【０００８】
したがって、エスカレータの運転時には、各チェーンの給油位置ずれの有無は確認できず、また、確認の際には大がかりな作業が必要となり、時間と労力を要していた。
【０００９】
一方、エスカレータは、他の装置同様に、振動等により固定部が緩み、位置ずれを生じる可能性があり、給油の際には、被給油体であるチェーンなどに対する給油位置ずれの有無を定期的に確認する必要が生じる。万が一、適正な潤滑油の給油が行われない場合には、チェーンなどから異音が発生したり、また場合によってはチェーンが切断してしまうおそれもある。
【００１０】
本発明は、上記課題に鑑みなされたものであり、被供給体に対して給油を遠隔で確認可能な給油確認装置を提供することを目的とする。
【課題を解決するための手段】
【００１１】
上記目的を達成するために、本発明の給油確認装置は、以下の特徴を有する。
【００１２】
（１）油タンクから配管を介して供給される油を被給油体に吐出する給油ノズルと、前記給油ノズルから供給され前記被給油体を経て落下する油を検出するセンサと、前記センサにより検出された油の落下状態を表示する表示部と、を有する給油確認装置である。
【００１３】
センサにより被給油体を経て落下した油を検出することができ、さらにこのセンサによる検出結果が表示部に表示されることができるため、直にチェーンに給油しその給油位置をその場で目視確認する必要がなくなる。さらに、上記表示部を容易に観察可能な遠隔地に配置することによって、エスカレータを停止させ、踏段を外す作業を行わずに、簡便に給油位置のずれの有無および給油状態を把握することができる。
【００１４】
（２）上記（１）に記載の給油確認装置において、前記センサは、前記油の落下により遮断するように配置された一対の光学センサであり、前記光学センサは、落下する油を挟むように対峙して設けられた投光部と受光部とからなる。
【００１５】
被給油体を経て落下する油を光学センサを用いて簡便に検出することができる。また、光学センサは小型であるため、エスカレータ内に配置する際に場所を制約されることがない。
【００１６】
（３）上記（１）に記載の給油確認装置において、前記センサは、前記油の落下位置に設けられ一端が回動可能に軸支されたトレイと、前記トレイを挟むように対峙して設けられた一対の光学センサと、を有し、前記光学センサは、投光部と受光部とからなる。
【００１７】
光学センサのみの場合には、油の落下位置を特定しその位置に光学センサを配置しなければならないが、トレイを用いた場合には、厳密に光学センサを配置することなく、油が落下した際に回動するトレイによって光学センサからの投光が遮光または透過され、これにより、光学センサは油の落下の有無を検出することができる。したがって、油の落下位置のずれの有無や給油状態をより正確に検出することができる。
【００１８】
（４）上記（３）に記載の給油確認装置において、前記トレイは、その他端の開放端部が互いに対向するように配置された少なくとも１組のトレイである。
【００１９】
上述のトレイ構成とすることにより、被給油体が例えばチェーンの場合、このチェーンが双方向運転された場合であっても、油の落下位置ずれの有無や給油状態を正確に検出することができる。
【００２０】
（５）上記（３）または（４）に記載の給油確認装置において、さらに、前記トレイの他端の開放端部は、弾性体により支持されている。
【００２１】
これにより、トレイの大幅な回動を抑制しつつ、油の落下を検出することができる。
【００２２】
（６）上記（１）から（５）のいずれか１つに記載の給油確認装置において、前記被給油体は、エスカレータの踏段および／または移動手摺を駆動させるためのチェーンである。
【発明の効果】
【００２３】
本発明によれば、給油状態や油の落下位置ずれの有無を遠隔で確認することができる。
【発明を実施するための最良の形態】
【００２４】
以下、本発明の実施形態について、図面に基づいて説明する。なお、背景技術において説明した構成と同一の構成には同一の符号を付し、その説明を省略する。
【００２５】
本発明の第１の実施形態の給油確認装置について、図１を用いて説明する。
【００２６】
自動給油機９は、配管１０、分配器１１、給油ノズル１２を経由させ、給油ノズル先端１３に潤滑油２０を送油する。潤滑油２０は、給油ノズル先端１３から吐出され被給油体である駆動チェーン７に注油される。
【００２７】
一方、駆動チェーン７の下方には、注油後、駆動チェーン７から落下する油を検出する光学センサ２１が配置されている。さらに詳細に説明すると、光学センサ２１は、投光部２１ａと受光部２１ｂとからなり、この投光部２１ａと受光部２１ｂとの間に落下する油を通過させ、通過した油により投光部２１ａからの光が遮光または透過したことを受光部２１ｂで検出することによって、油の落下の位置ずれの有無や落下油の量などを検出することができる。また、光学センサ２１は、エスカレータ内部にあるアングル２５に、ボルトとナット等により取り付けられた腕２４により、油の通過検出可能な位置に把持されている。なお、光学センサ２１は、エスカレータの各チェーン毎に少なくとも１つ以上設けられている。また、投光部２１ａと受光部２１ｂの間隔は、チェーンの幅程度にしておくことにより、誤動作を防止することができる。
【００２８】
また、エスカレータの外側であって監視者が容易に監視可能な遠隔地に、光学センサ２１からの検出信号を滴下検出器を介して受信し表示する表示板２２が設けられている。そして、この表示板２２には、各チェーンの油の落下状態を各々表示するための表示灯２３が少なくとも１つ以上設けられている。なお、上記滴下検出器も、各チェーンからの落下状態を検出した各々の検出信号を受信可能なように複数個設けられている。
【００２９】
次に、図１に示す給油確認装置の動作の一例について以下に説明する。
【００３０】
例えば、定期保守作業時に、保守作業員がエスカレータを停止させ、自動給油機９の操作盤１５の「滴下」ボタンをオンにし、テストスイッチ１６をオンすることによって、自動給油機９から配管１０、分配器１１、給油ノズル１２、給油ノズル先端１３を介して潤滑油２０が駆動チェーン７に対して吐出される。注油された潤滑油２０は、駆動チェーン７のリング部分を被膜しながら、潤滑油２０の一部は下方に落下する。この落下した潤滑油２０は、光学センサ２１を通過する際に、投光部２１ａからの光ビームを遮光し、その結果、受光部２１ｂでは光ビームを受光できない。受光部２１ｂからの遮光の信号は、滴下検出器を介して表示板２２に送信され、駆動チェーン７に相当する「第１チェーン」の表示灯２３が消灯する。一方、油が光学センサ２１を通過していないときは、投光部２１ａからの光ビームは受光部２１ｂに到達し、受光部２１ｂからの受光の信号は、滴下検出器を介して表示板２２に送信され、「第１チェーン」の表示灯が点灯する。
【００３１】
そして、保守作業員は、表示灯２３の点滅状態を観察して、例えば略周期的に点滅すれば、注油の位置ずれはなく、また正常に注油されていると判断することができる。これにより、従来のように、エスカレータの踏段を外し、直接目視にて給油状態を確認する必要はなくなり、遠隔で各チェーン等への給油個所の給油状態を確認することができる。
【００３２】
なお、上記実施の形態では、停止状態での検出について説明したが、エスカレータを運転しながら給油状態や給油位置ずれの有無を確認するためには、被給油体であるチェーンが移動方向に移動することによる油落下領域の拡大を考慮し、幅広い範囲の検出可能なセンサ、例えば、光ビーム幅を広げた投光部と受光部の組み合わせなどを用いることが好ましい。
【００３３】
さらに、本発明の第２の実施形態の給油確認装置について、図２を用いて説明する。なお、上記第１の実施形態と同一の構成には同一の符号を付しその説明を省略する。
【００３４】
本実施の形態では、被給油体であるチェーンなどの下に、落下油を補足するためのトレイ２６が設けられている。このトレイ２６は、一端が軸２８により回動可能に軸支され、他端は開放端になっている。この開放端部は、弾性体である例えばバネ２７により支持され、さらに開放端部の下には、油の落下によるトレイ２６大幅な回動を抑制するためのストッパ２９がバネ２７近傍に設けられている。また、給油ノズル先端１３は、トレイ２６の開放端より少し駆動チェーン７の運転方向（矢印方向）に寄った位置に設置される。これにより、エスカレータの運転を停止させた場合でも、トレイ２６上に油は確実に落下し、また、エスカレータを運転させ、駆動チェーン７が矢印方向に移動しながら油を落下させた場合であっても、トレイ２６上に油を落下させることができる。
【００３５】
また、光学センサである投光部３０ａ、受光部３０ｂは、トレイ２６を挟むように対峙して設けられており、受光部３０ｂからの信号は滴下検出器３０を介して表示板２２に送信される。また、本実施の形態では、投光部３０ａと受光部３０ｂは、油がトレイ２６に落下する前のトレイ２６の位置では、投光部３０ａからの光ビームは受光部３０ｂにて受光され、一方、油が落下してトレイ２６が回動して開放端が下方に下がった状態では、投光部３０ａからの光ビームはトレイ２６により遮光され受光部３０ｂに到達しないように配設されている。なお、投光部３０ａと受光部３０ｂは、上述の配置に限るものではなく、例えば遮光と透過の関係が上述と逆になるように配設されていてもよい。
【００３６】
次に、本実施の形態の給油確認装置の動作の一例について以下に説明する。
【００３７】
給油ノズル先端１３から潤滑油２０が駆動チェーン７に注油され、駆動チェーン７を被膜したのちに落下した潤滑油２０の一部は、エスカレータ停止中、運転中のいずれの場合でも、トレイ２６上に落下する。トレイ２６は、この落下した油により、バネ２７に反発力に抗して回動し、一旦トレイ２６の開放端が下方に下がる。このトレイ２６の回動によって、投光部３０ａからの光ビームは、トレイ２６により遮光され受光部３０ｂには到達しない。そして、受光部３０ｂからの遮光の信号は、滴下検出器３０を介して表示板２２に送信され、駆動チェーン７に相当する「第１チェーン」の表示灯は消灯する。一方、トレイ２６上に油が落下した場合、トレイ２６は、一旦バネ２７に抗して回動するものの、そののちバネの反発力によってもとの位置に戻り、これにより、投光部３０ａからの光ビームは受光部３０ｂにて受光され、この受光の信号は滴下検出器３０を介して表示板２２に送信され、「第１チェーン」の表示灯は点灯する。
【００３８】
保守作業員は、表示灯の点滅状態を観察して、例えば略周期的に点滅すれば、注油の位置ずれはなく、また正常に注油されていると判断することができる。これにより、従来のように、エスカレータの踏段を外し、直接目視にて給油状態を確認する必要はなくなり、遠隔で各チェーン等への給油個所の給油状態を確認することができる。
【００３９】
次に、本発明の第３の実施形態の給油確認装置について、図３を用いて説明する。なお、上記第１、第２の実施形態と同一の構成には同一の符号を付しその説明を省略する。
【００４０】
第２の実施の形態では、１つのトレイ２６（図２）を用いて油の落下状態を検出しているが、本実施の形態では、特に、被給油体であるチェーンが双方向に移動した場合であっても給油状態や給油位置ずれの有無を容易に検出可能とするため、図３ａから図３ｄに示すように、２つのトレイ２６ａ，２６ｂの開放端部が互いに対向するように配置された少なくとも１組のトレイ対からなる。そして、各トレイ２６ａ，２６ｂの開放端部にはそれぞれバネ２７とストッパ２９が設けられ、図３ｅに示すように、各トレイ２６ａ，２６ｂの他端はそれぞれ軸２８により回動可能に軸支されている。また、各トレイ２６ａ，２６ｂに対して、光学センサとしてそれぞれ一対の投光部３０ａと受光部３０ｂおよび投光部３１ａと受光部３１ｂが配置されており、この投光部３０ａと受光部３０ｂおよび投光部３１ａと受光部３１ｂは、油が落下していない状態で、投光部３０ａ，３１ａからの光ビームが、トレイ２６ａ，２６ｂにより遮光されて受光部３０ｂ，３１ｂには到達せず、一方、油が落下し、トレイ２６ａ，２６ｂが回動した場合には、投光部３０ａ，３１ａからの光ビームは、受光部３０ｂ，３１ｂにて受光されるような位置に配設されている。
【００４１】
ここで、図３ａ、図３ｂに示す装置では、トレイ２６ａ，２６ｂの開放端側面ｘ部およびｙ部の少なくともどちらか一方の一部分が切断され、両トレイ２６ａ，２６ｂが接触しない程度の距離Ｌをおいて、対向して配設されている。したがって、図３ａ、図３ｂの装置は、運転時のみならず、停止時でも給油状態等を確認できる構成となっている。
【００４２】
一方、図３ｃ、図３ｄに示す装置では、停止時の確認が不要な場合の装置構成であり、したがって、トレイ２６ａ，２６ｂの開放端間の距離Ｌが図３ａ，３ｂの場合より大きく、また開放端の側面の切欠き形成は強いて必要ない。
【００４３】
なお、図３ａ，３ｂおよび図３ｃ，３ｄのいずれの場合も、給油ノズル先端１３は、停止時および運転中であっても、トレイ２６ａ，２６ｂのいずれかに落下油が補足可能な位置であってトレイ２６ａ，２６ｂのいずれかの軸２８寄りに配置されている。
【００４４】
また、表示板の表示灯は、同一チェーンに対して２つ設けられ、例えば運転方向に対応して表示灯Ａ，Ｂの要に設けられている。
【００４５】
次に、本実施の形態の給油確認装置の動作の一例について以下に説明する。
【００４６】
まず、図３ａおよび図３ｃの場合のように、エスカレータが運転中であって、駆動チェーン７が矢印Ａ方向に移動している場合、図１に示すような自動給油機９の操作盤１５において「滴下」ボタンをオンにし、さらにテストスイッチ１６を投入することによって、給油ノズル先端１３から駆動チェーン７に対して潤滑油２０が吐出され、この潤滑油２０は、駆動チェーン７のリンク部分を被膜しながら、その一部は駆動チェーン７の移動方向（矢印Ａ方向）に沿って移動しながら下に落下する。この落下した油により、トレイ２６ａはバネ２７に抗して一旦回動し、その際、投光部３０ａからの光ビームはトレイ２６ａに遮光されずに受光部３０ｂにて受光され表示板２２（図２）の第１チェーンの表示灯Ａを点灯させる。一方、油の落下のないトレイ２６ｂ側では、投光部３１ａからの光ビームがトレイ２６ｂに遮光され受光部３１ｂに到達せず、その結果表示板２２（図２）の第１チェーンの表示灯Ｂは消灯している。
【００４７】
また、図３ｂおよび図３ｄの場合のように、エスカレータが運転中であって、駆動チェーン７が矢印Ｂ方向に移動している場合、図１に示すような自動給油機９の操作盤１５において「滴下」ボタンをオンにし、さらにテストスイッチ１６を投入することによって、給油ノズル先端１３から駆動チェーン７に対して潤滑油２０が吐出され、この潤滑油２０は、駆動チェーン７のリンク部分を被膜しながら、その一部は駆動チェーン７の移動方向（矢印Ｂ方向）に沿って移動しながら下に落下する。この落下した油により、トレイ２６ｂはバネ２７に抗して一旦回動し、その際、投光部３１ａからの光ビームはトレイ２６ｂに遮光されずに受光部３１ｂにて受光され表示板２２（図２）の第１チェーンの表示灯Ｂを点灯させる。一方、油の落下のないトレイ２６ａ側では、投光部３０ａからの光ビームがトレイ２６ａに遮光され受光部３０ｂに到達せず、その結果表示板２２（図２）の第１チェーンの表示灯Ａは消灯している。
【００４８】
保守作業員は、表示灯Ａ，Ｂの点滅状態を観察して、例えば略周期的にどちらの表示灯が点滅すれば、注油の位置ずれはなく、また正常に注油されていると判断することができる。これにより、従来のように、エスカレータの踏段を外し、直接目視にて給油状態を確認する必要はなくなり、遠隔で各チェーン等への給油個所の給油状態を確認することができる。
【００４９】
なお、被給油体として駆動チェーンを例示して説明したが、被給油体はこれに限るものではなく、エスカレータの場合には踏段チェーン、手摺チェーンなどが挙げられ、踏段チェーンの給油位置はリンク部が好ましく、手摺チェーンの給油位置はチェーンの中央部が好ましい。
【００５０】
また、落下する油の検出センサとして、本実施の形態では光学センサを例示して説明したがこれに限るものではなく、油の落下を検出できるものであればいかなるセンサも用いることができる。
【００５１】
また、センサ本体に飛散した油や埃の付着を防止するため、センサの検出部を除く部分に覆いを付けることが好ましい。
【００５２】
また、本実施の形態では、自動給油機において「滴下」を指示して給油しているため、落下する油はほぼ油滴状であるが、これに限るものではなく、自動給油機において「連続」を指示して給油してもよく、かかる場合、落下する油は油滴若しくは油流となるが、この場合であっても、上記いずれの実施の形態において検出可能である。なお、油流の場合は表示灯は間欠的に点滅する。
【産業上の利用可能性】
【００５３】
本発明の給油確認装置は、エスカレータにおける駆動用にチェーンの他に、他の装置のチェーンの給油状態の確認に対しても有効である。
【図面の簡単な説明】
【００５４】
【図１】本発明の給油確認装置の一例を示す全体構成図である。
【図２】本発明の給油確認装置の他の実施態様を示す構成図である。
【図３ａ】本発明の給油確認装置の別の実施態様の動作を説明する図である。
【図３ｂ】本発明の給油確認装置の別の実施態様の動作を説明する図である。
【図３ｃ】本発明の給油確認装置の別の実施態様の動作を説明する図である。
【図３ｄ】本発明の給油確認装置の別の実施態様の動作を説明する図である。
【図３ｅ】図３ａに示す装置の右側側面図である。
【図４】エスカレータの構造を説明する図である。
【図５】エスカレータのチェーンに給油するための給油装置の一例を示す構成図である。
【図６】従来の乗客コンベアの給油案内装置の構成を説明する図である。
【図７】従来の給油ノズルの固定装置の構成を説明する図である。
【符号の説明】
【００５５】
１  エスカレータ、２  踏段、３  案内レール、４  踏段チェーン、５  駆動ギア、６  従動ギア、７  駆動チェーン、８  駆動機構、９  自動給油機、１０  配管、１１  分配器、１２  給油ノズル、１３，１３ａ，１３ｂ，１３ｃ  給油ノズル先端、１４  固定手段、１５  操作盤、１６  テストスイッチ、１８ａ，１８ｂ  緩衝剤、１９ａ，１９ｂ  平板、２０  潤滑油、２１  光学センサ、２１ａ，３０ａ，３１ａ  投光部、２１ｂ，３０ｂ，３１ｂ  受光部、２２  表示板、２３  表示灯、２４  腕、２５  アングル、２６，２６ａ，２６ｂ  トレイ、２７  バネ、２８  軸、２９  ストッパ、３０  滴下検出器。
【図１】
2005239365.tif 000003
【図２】
2005239365.tif 000004
【図３ａ】
2005239365.tif 000005
【図３ｂ】
2005239365.tif 000006
【図３ｃ】
2005239365.tif 000007
【図３ｄ】
2005239365.tif 000008
【図３ｅ】
2005239365.tif 000009
【図４】
2005239365.tif 000010
【図５】
2005239365.tif 000011
【図６】
2005239365.tif 000012
【図７】
2005239365.tif 000013